(57)【要約】【課題】動画像が作成されるまでの時間を短縮できるようにする。【解決手段】静止画像をデジタルデータとしてディスクに記録する静止画記録手段と、前記静止画記録手段が前記静止画をデジタルデータとしてディスクに記録する際に、前記静止画を動画ストリームへ変換する動画変換手段と、前記動画変換手段によって変換された動画ストリームを前記ディスクに記録する動画ストリーム記録手段と、前記動画変換手段によって変換された動画ストリームの再生順序を定義するプレイリストを、前記ディスクがファイナライズされる際に作成するプレイリスト作成手段とを設け、静止画を取り込んだ際に静止画の書き込みと動画ストリームの作成とを同時に行い、ファイナライズ時にはプレイリスト作成処理のみを行えば済むようにする。【選択図】図１
2007325108.tif 000002
【特許請求の範囲】
【請求項１】
動画像及び静止画像をデジタルデータとしてディスクに記録する際に、前記ディスクに記録される静止画像を、静止画ファイルとは別にデジタル動画フォーマットに合致した記録用データに変換して動画ストリームファイルとして記録する撮像装置であって、
前記静止画像をデジタルデータとしてディスクに記録する静止画記録手段と、
前記静止画記録手段が前記静止画をデジタルデータとしてディスクに記録する際に、前記静止画を動画ストリームへ変換する動画変換手段と、
前記動画変換手段によって変換された動画ストリームを前記ディスクに記録する動画ストリーム記録手段と、
前記動画変換手段によって変換された動画ストリームの再生順序を定義するプレイリストを、前記ディスクがファイナライズされる際に作成するプレイリスト作成手段とを有することを特徴とする撮像装置。
【請求項２】
前記ディスクに記録する静止画像をデジタル動画フォーマットに合致した記録用データに変換してファイルとして記録するか否かを、ブランクディスクが挿入された時に操作者に問い合わせる問い合わせ手段を有することを特徴とする請求項１に記載の撮像装置。
【請求項３】
前記動画ストリーム記録手段は、前記動画変換手段によって変換された動画ストリームが、予め設定されたデータ量以上に装置内のメモリに蓄積された場合に前記ディスクに記録することを特徴とする請求項１または２に記載の撮像装置。
【請求項４】
前記動画ストリーム記録手段は、前記動画変換手段によって変換された動画ストリームが、操作者が静止画撮影から、動画撮影またはファイナライズの指示を行った場合に前記ディスクに記録することを特徴とする請求項１または２に記載の撮像装置。
【請求項５】
撮像手段と、
前記撮像手段により得られた画像データを用いて記録フォーマットに応じた動画像データを作成する動画データ処理手段と、
静止画記録の指示に応じて、前記撮像手段により得られた画像データを用いて静止画用の記録フォーマットに応じた静止画データを作成する静止画データ処理手段と、
前記静止画記録の指示に応じて、前記静止画データ処理手段により作成された静止画データを前記動画用の記録フォーマットに従う動画データに変換し、変換動画データを作成する動画変換手段と、
前記動画データと前記変換動画データとを前記動画用の記録フォーマットに従って記録媒体に記録すると共に、前記静止画データを前記静止画用の記録フォーマットに従って前記記録媒体に記録する記録手段と、
前記記録媒体に記録された変換動画データの再生順序を示すプレイリストを作成するプレイリスト作成手段とを有することを特徴とする撮像装置。
【請求項６】
動画像及び静止画像をデジタルデータとしてディスクに記録する際に、前記ディスクに記録される静止画像を、静止画ファイルとは別にデジタル動画フォーマットに合致した記録用データに変換して動画ストリームファイルとして記録する撮像方法であって、
前記静止画像をデジタルデータとしてディスクに記録する静止画記録工程と、
前記静止画記録工程において前記静止画をデジタルデータとしてディスクに記録する際に、前記静止画を動画ストリームへ変換する動画変換工程と、
前記動画変換工程において変換された動画ストリームを前記ディスクに記録する動画ストリーム記録工程と、
前記動画変換工程において変換された動画ストリームの再生順序を定義するプレイリストを、前記ディスクがファイナライズされる際に作成するプレイリスト作成工程とを有することを特徴とする撮像方法。
【請求項７】
撮像手段により得られた画像データを用いて記録フォーマットに応じた動画像データを作成する動画データ処理工程と、
静止画記録の指示に応じて、前記撮像工程において得られた画像データを用いて静止画用の記録フォーマットに応じた静止画データを作成する静止画データ処理工程と、
前記静止画記録の指示に応じて、前記静止画データ処理工程において作成された静止画データを前記動画用の記録フォーマットに従う動画データに変換し、変換動画データを作成する動画変換工程と、
前記動画データと前記変換動画データとを前記動画用の記録フォーマットに従って記録媒体に記録すると共に、前記静止画データを前記静止画用の記録フォーマットに従って前記記録媒体に記録する記録工程と、
前記記録媒体に記録された変換動画データの再生順序を示すプレイリストを作成するプレイリスト作成工程とを有することを特徴とする撮像方法。
【請求項８】
前記ディスクに記録する静止画像をデジタル動画フォーマットに合致した記録用データに変換してファイルとして記録するか否かを、ブランクディスクが挿入された時に操作者に問い合わせる問い合わせ工程を有することを特徴とする請求項６または７に記載の撮像方法。
【請求項９】
前記動画ストリーム記録工程は、前記動画変換工程において変換された動画ストリームが、予め設定されたデータ量以上に装置内のメモリに蓄積された場合に行われることを特徴とする請求項６または８に記載の撮像方法。
【請求項１０】
前記動画ストリーム記録工程は、前記動画変換工程において変換された動画ストリームが、操作者が静止画撮影から、動画撮影またはファイナライズの指示を行った場合に行われることを特徴とする請求項６または８に記載の撮像方法。
【請求項１１】
動画像及び静止画像をデジタルデータとしてディスクに記録する際に、前記ディスクに記録される静止画像を、静止画ファイルとは別にデジタル動画フォーマットに合致した記録用データに変換して動画ストリームファイルとして記録する撮像方法をコンピュータに実行させるプログラムであって、
前記静止画像をデジタルデータとしてディスクに記録する静止画記録工程と、
前記静止画記録工程において前記静止画をデジタルデータとしてディスクに記録する際に、前記静止画を動画ストリームへ変換する動画変換工程と、
前記動画変換工程において変換された動画ストリームを前記ディスクに記録する動画ストリーム記録工程と、
前記動画変換工程において変換された動画ストリームの再生順序を定義するプレイリストを、前記ディスクがファイナライズされる際に作成するプレイリスト作成工程とを有する撮像方法をコンピュータに実行させることを特徴とするプログラム。
【請求項１２】
撮像手段により得られた画像データを用いて記録フォーマットに応じた動画像データを作成する動画データ処理工程と、
静止画記録の指示に応じて、前記撮像工程において得られた画像データを用いて静止画用の記録フォーマットに応じた静止画データを作成する静止画データ処理工程と、
前記静止画記録の指示に応じて、前記静止画データ処理工程において作成された静止画データを前記動画用の記録フォーマットに従う動画データに変換し、変換動画データを作成する動画変換工程と、
前記動画データと前記変換動画データとを前記動画用の記録フォーマットに従って記録媒体に記録すると共に、前記静止画データを前記静止画用の記録フォーマットに従って前記記録媒体に記録する記録工程と、
前記記録媒体に記録された変換動画データの再生順序を示すプレイリストを作成するプレイリスト作成工程とを有する撮像方法をコンピュータに実行させることを特徴とするプログラム。
【請求項１３】
請求項１１または１２に記載のプログラムを記録したことを特徴とするコンピュータ読み取り可能な記録媒体。
【発明の詳細な説明】
【技術分野】
【０００１】
本発明は撮像装置及び撮像方法に関する。例えば、記録可能なＤＶＤ（Digital Versatile Disk）等のディスクを記録媒体として用い、これに動画像や静止画像をデジタルデータとして記録するデジタルビデオカメラやデジタルカメラなどの撮像装置に用いて好適な技術に関する。
【背景技術】
【０００２】
近年、記録媒体としてＤＶＤなどのディスク記録媒体がデジタルビデオカメラの記録媒体として使用され始めている。このようなディスク記録媒体を用いるデジタルビデカメラにおいても、動画像だけでなく、静止画像も同一のディスク記録媒体に記録することができるようになってきている。
【０００３】
このような場合、ディスク媒体に動画像を記録する場合には、動画記録用のデジタル動画フォーマットで記録し、ディスク媒体に静止画像を記録する場合には、静止画記録用のデジタル静止画フォーマットで記録されなければならない。また、これらを再生する場合には、そのそれぞれの記録フォーマットに対応したデコーダが必要になる。
【０００４】
ディスク記録媒体として、ＤＶＤを用いる場合、動画像記録時には、データ圧縮方式としてＭＰＥＧ（Moving Picture Experts Group）方式を用いたデジタル動画フォーマットが用いられる。具体的には、ＤＶＤビデオフォーマット（DVD Video Format）やＤＶＤビデオレコーディングフォーマット（DVD Video Recording Format）などが用いられる。
【０００５】
一方、静止画像記録時には、データ圧縮方式としてＪＰＥＧ（Joint Photographic Experts Group）方式を用いたデジタル静止画フォーマットが用いられる。具体的には、ＤＣＦ（Design rule for Camera File system）フォーマットなどと呼ばれるフォーマットが用いられる。
【０００６】
前記のように、動画像データと静止画像データとが異なる圧縮フォーマットで記録されている記録媒体を、動画像用のデコーダしか搭載していないようなＤＶＤ再生機器で再生する場合には、静止画像データについては再生することができなかった。
【０００７】
このような問題に対し、下記特許文献に記載の「記録装置」のように、ＪＰＥＧ方式で記録されている静止画像データを使用者からの指示に応じたタイミングで、記録に用いられたデジタル静止画フォーマットで記録されている全静止画像データを読み出す。そして、フォーマット変換を実行することによりMPEG方式のＩピクチャーに再変換し、動画像記録フォーマットで別途記録する方法が提案されている。これにより、数秒間隔で表示静止画像が変化する動画像として、静止画像をＤＶＤ再生機器でも閲覧することができる。
【０００８】
【特許文献１】特開２００４−２０１１７０号公報
【発明の開示】
【発明が解決しようとする課題】
【０００９】
前記特許文献１に記載の記録装置では、ＤＶＤ再生機器で静止画像データから再変換されて作成された動画像を閲覧することができる。しかしながら、前記特許文献１に記載の記録装置の場合には、全ての静止画像データを読み出してJPEGデコードした後に、MPEG方式のデータに再変換するようにしていた。このため、使用者が指示を行ってから、または特定のタイミングから、動画像が作成されるまでに多くの時間が必要となってしまうといった問題があった。
【００１０】
本発明は前述の問題点にかんがみ、動画像が作成されるまでの時間を短縮できるようにすることを目的としている。
【課題を解決するための手段】
【００１１】
本発明の撮像装置は、動画像及び静止画像をデジタルデータとしてディスクに記録する際に、前記ディスクに記録される静止画像を、静止画ファイルとは別にデジタル動画フォーマットに合致した記録用データに変換して動画ストリームファイルとして記録する撮像装置であって、前記静止画像をデジタルデータとしてディスクに記録する静止画記録手段と、前記静止画記録手段が前記静止画をデジタルデータとしてディスクに記録する際に、前記静止画を動画ストリームへ変換する動画変換手段と、前記動画変換手段によって変換された動画ストリームを前記ディスクに記録する動画ストリーム記録手段と、前記動画変換手段によって変換された動画ストリームの再生順序を定義するプレイリストを、前記ディスクがファイナライズされる際に作成するプレイリスト作成手段とを有することを特徴とする。
また、本発明の撮像装置の他の特徴とするところは、撮像手段と、前記撮像手段により得られた画像データを用いて記録フォーマットに応じた動画像データを作成する動画データ処理手段と、静止画記録の指示に応じて、前記撮像手段により得られた画像データを用いて静止画用の記録フォーマットに応じた静止画データを作成する静止画データ処理手段と、前記静止画記録の指示に応じて、前記静止画データ処理手段により作成された静止画データを前記動画用の記録フォーマットに従う動画データに変換し、変換動画データを作成する動画変換手段と、前記動画データと前記変換動画データとを前記動画用の記録フォーマットに従って記録媒体に記録すると共に、前記静止画データを前記静止画用の記録フォーマットに従って前記記録媒体に記録する記録手段と、前記記録媒体に記録された変換動画データの再生順序を示すプレイリストを作成するプレイリスト作成手段とを有することを特徴とする。
【００１２】
本発明の撮像方法は、動画像及び静止画像をデジタルデータとしてディスクに記録する際に、前記ディスクに記録される静止画像を、静止画ファイルとは別にデジタル動画フォーマットに合致した記録用データに変換して動画ストリームファイルとして記録する撮像方法であって、前記静止画像をデジタルデータとしてディスクに記録する静止画記録工程と、前記静止画記録工程において前記静止画をデジタルデータとしてディスクに記録する際に、前記静止画を動画ストリームへ変換する動画変換工程と、前記動画変換工程において変換された動画ストリームを前記ディスクに記録する動画ストリーム記録工程と、前記動画変換工程において変換された動画ストリームの再生順序を定義するプレイリストを、前記ディスクがファイナライズされる際に作成するプレイリスト作成工程とを有することを特徴とする。
また、本発明の撮像方法の他の特徴とするところは、撮像手段により得られた画像データを用いて記録フォーマットに応じた動画像データを作成する動画データ処理工程と、静止画記録の指示に応じて、前記撮像工程において得られた画像データを用いて静止画用の記録フォーマットに応じた静止画データを作成する静止画データ処理工程と、前記静止画記録の指示に応じて、前記静止画データ処理工程において作成された静止画データを前記動画用の記録フォーマットに従う動画データに変換し、変換動画データを作成する動画変換工程と、前記動画データと前記変換動画データとを前記動画用の記録フォーマットに従って記録媒体に記録すると共に、前記静止画データを前記静止画用の記録フォーマットに従って前記記録媒体に記録する記録工程と、前記記録媒体に記録された変換動画データの再生順序を示すプレイリストを作成するプレイリスト作成工程とを有することを特徴とする。
【００１３】
本発明のプログラムは、動画像及び静止画像をデジタルデータとしてディスクに記録する際に、前記ディスクに記録される静止画像を、静止画ファイルとは別にデジタル動画フォーマットに合致した記録用データに変換して動画ストリームファイルとして記録する撮像方法をコンピュータに実行させるプログラムであって、前記静止画像をデジタルデータとしてディスクに記録する静止画記録工程と、前記静止画記録工程において前記静止画をデジタルデータとしてディスクに記録する際に、前記静止画を動画ストリームへ変換する動画変換工程と、前記動画変換工程において変換された動画ストリームを前記ディスクに記録する動画ストリーム記録工程と、前記動画変換工程において変換された動画ストリームの再生順序を定義するプレイリストを、前記ディスクがファイナライズされる際に作成するプレイリスト作成工程とを有する撮像方法をコンピュータに実行させることを特徴とする。
また、本発明のプログラムの他の特徴とするところは、撮像手段により得られた画像データを用いて記録フォーマットに応じた動画像データを作成する動画データ処理工程と、静止画記録の指示に応じて、前記撮像工程において得られた画像データを用いて静止画用の記録フォーマットに応じた静止画データを作成する静止画データ処理工程と、前記静止画記録の指示に応じて、前記静止画データ処理工程において作成された静止画データを前記動画用の記録フォーマットに従う動画データに変換し、変換動画データを作成する動画変換工程と、前記動画データと前記変換動画データとを前記動画用の記録フォーマットに従って記録媒体に記録すると共に、前記静止画データを前記静止画用の記録フォーマットに従って前記記録媒体に記録する記録工程と、前記記録媒体に記録された変換動画データの再生順序を示すプレイリストを作成するプレイリスト作成工程とを有する撮像方法をコンピュータに実行させることを特徴とする。
【発明の効果】
【００１４】
本発明によれば、静止画撮影と同時にその静止画像に対応する動画ファイルを作成することができるため、ファイナライズ時に静止画から動画へ変換するために必要な時間を短縮することができる。
【発明を実施するための最良の形態】
【００１５】
（第１の実施形態）
図１は本発明の実施形態を示し、撮像装置の全体構成を示すブロック図である。
図１において、１は、CCDにより変換された電気信号を処理し、画像データに変換するカメラ信号処理回路である。２は画像データをMPEG方式の規格にそって画像圧縮するMPEGコーデックである。
【００１６】
３は画像圧縮されたデータを蓄積し、ディスクへの書き込みタイミングで読み出されるバッファである。４はカメラ信号処理回路１から出力された画像をJPEG圧縮するJPEGエンコードである。５はJPEGエンコード４から出力される圧縮された静止画データを蓄積する静止画メモリである。
【００１７】
６はディスクドライブとのインターフェイスのATA（AT ATTACHMENT） IFである。７は画像圧縮されたストリームデータを所定単位にエラー訂正符号化を行うECC（誤り訂正符号）符号化回路である。８はデジタルデータを、予め設定された８−１６変調処理を行う変調回路である。９は入力された変調信号により光ビームを発生するピックアップである。
【００１８】
前記のように構成された本実施形態の撮像装置で行われる動画記録の動作を以下に説明する。
まず、カメラ信号処理回路１において、カメラ信号を画像データに変換し、MPEGコーデック２に入力する。
【００１９】
MPEGコーデック２は、入力された画像データに動画像圧縮処理を行い、ストリームとしてバッファ３に出力する。バッファ３は、MPEGコーデック２から入力されたストリームをメモリに蓄積する。そして、メモリに蓄積されたストリームデータは、ディスクへの書き込みタイミングに応じて、ATA IF６経由でECC符号化回路７に転送される。
【００２０】
ECC符号化回路７では、受け取ったストリームを所定単位にエラー訂正符号化を行い、変調回路８に出力する。変調回路８では、ECC符号化回路７から入力されたストリームデータに対して８−１６変調を行い、ピックアップ９に出力する。ピックアップ９は、入力した変調信号に応じて光ビームを発生し、光ディスク１０上にデータを書き込む。以上のような動作により動画像の記録を行う。
【００２１】
次に、静止画記録の動作を以下に記述する。
不図示の操作スイッチにより静止画記録の指示があると、カメラ信号処理回路１は、ＣＣＤから得られた動画データ中より１フレームの画像データを抽出する。カメラ信号処理回路１は内部にフレームメモリを有し、静止画圧縮が完了するまで画像データを保持する。
【００２２】
一方、カメラ信号処理回路１において静止画圧縮された画像データは、JPEGエンコード４に入力される。JPEGエンコード４は、カメラ信号処理回路１から入力された画像を圧縮し、静止画メモリ５に蓄積する。静止画メモリ５に蓄積されたデータは、その後、光ディスク１０への書き込みタイミングに応じて、ATA IF６経由でECC符号化回路７に転送される。
【００２３】
ECC符号化回路７では、受け取ったストリームを所定単位にエラー訂正符号化を行い、変調回路８に出力する。変調回路８では、エラー訂正符号化された画像データに対して８−１６変調を行い、ピックアップ９に出力する。ピックアップ９は、入力した変調信号に応じて、光ビームを発生し、光ディスク１０上にデータを書き込む。以上のような動作により静止画を光ディスク１０に記録する。
【００２４】
前記構成において、実施形態の撮像装置の動作を示す。
図２は実施形態の動画記録、静止画記録、ファイナライズ動作の分岐を示すフローチャートである。
まず、本実施形態で光ディスク１０を挿入すると、ステップＳ２０１の処理を行う。ステップＳ２０１は、挿入された光ディスク１０を読み出し、ブランクディスクかどうか判別する。
【００２５】
ステップＳ２０１の判別の結果、挿入された光ディスク１０がブランクディスクの場合は、ステップＳ２０２の処理を行い、ブランクディスクでない場合はステップＳ２０３の処理を行う。
【００２６】
すなわち、挿入された光ディスク１０がブランクディスクであった場合、ステップＳ２０２において、静止画像データから再変換して動画像ストリームを作成するか否かを操作者に問い合わせる。そして、操作者の指示内容をディスク管理ファイルに書き込む。
【００２７】
また、ステップＳ２０１の判別の結果、挿入された光ディスク１０がブランクディスクでなかった場合は、ステップＳ２０３に進んで光ディスク１０からディスク管理ファイルを読み出する。そして、読み出した内容から静止画像データから再変換されて動画像ストリームを作成するか判断する。以上が光ディスク１０挿入時の初期化シーケンスである。
【００２８】
次に、ステップＳ２０４においては、動画記録、静止画記録、ファイナライズの分岐であり、操作者からの指示で分岐する。
ステップＳ２０４で静止画記録の指示を受けるとステップＳ２０５の静止画撮影モードに移行する。ステップＳ２０４で動画記録の指示を操作者から受けると、ステップＳ２０６の動画撮影モードに移行する。また、ステップＳ２０４でファイナライズの指示を操作者から受けるとステップＳ２０７のファイナライズモードに移行する。
【００２９】
図３は、図２のステップＳ２０６の動画撮影モードで行われる処理手順を説明するフローチャートである。
動画撮影モードになると、ステップＳ３０１で動画撮影終了か否かを判別し、終了しない場合は、ステップＳ３０２に移行し、終了する場合は、ステップＳ３０６に移行する。
【００３０】
ステップＳ３０２の処理は、カメラ信号処理回路１からの画像データを動画像圧縮するためにMPEGコーデック２に対して動画圧縮の指示を行う。次に、ステップＳ３０３の処理に移行し、MPEGコーデック２から出力されるストリームデータをバッファ３に追記するように指示する。
【００３１】
次に、ステップＳ３０４において、ストリームデータがバッファ３に所定量以上蓄積しているか否かを判断する。この判断の結果、ストリームデータがバッファ３に既定値以上蓄積していない場合には、ステップＳ３０１に戻り前述した処理を繰り返し行う。
【００３２】
一方、ステップＳ３０４の判断の結果、ストリームデータがバッファ３に既定値以上蓄積している場合は、ステップＳ３０５に進み、バッファ３からストリームデータを読み出し、ATA IF６経由でECC符号化回路７に送信する。そして、ECC符号化回路７においてエラー訂正符号化を行い、その後、前述したように変調回路８にて８−１６変調を行い、ピックアップ９に出力する。ピックアップ９は、入力した変調信号に応じて光ビームを発生し、光ディスク１０上にデータを書き込む。このようにして、バッファ３から読み出したストリームデータをすべて、光ディスク１０に記録した後に、ステップＳ３０１に戻る。
なお、本実施形態では、ＭＰＥＧ変換された動画データのデータレートよりも、ディスク１０に対するデータの記録レートの方が高い。そのため、ＭＰＥＧデータを一旦バッファ３に蓄積し、所定量のＭＰＥＧデータがバッファに蓄積されたタイミングでディスク１０への書き込みを行う。また、バッファ３に蓄積する所定量は、ディスク１０の記録レートとバッファメモリ３の記録容量とに基づいて予め定めておく。
【００３３】
一方、ステップＳ３０１の判断の結果、動画撮影を終了する場合には、ステップＳ３０６に移行する。ステップＳ３０６においては、ステップＳ３０３でバッファ３に追記されたストリームデータが完全に光ディスク１０に記録されているか検出する。この検出の結果、バッファ３にデータがない場合には、動画撮影を終了する。また、バッファ３にデータが残っている場合はステップＳ３０７で光ディスク１０に記録する。ステップＳ３０７の内容は、ステップＳ３０５と同等である。
【００３４】
図４は、図２のステップＳ２０５の静止画撮影モードにおいて行われる処理手順を説明するフローチャートである。
静止画撮影モードになると、ステップＳ４０１で静止画撮影モードが終了するか否かを判別する。この判別の結果、静止画撮影モードを終了する場合は、ステップＳ４１１に移行し、終了しない場合はステップＳ４０２に移行する。
【００３５】
ステップＳ４０２においては、静止画画像の取り込みタイミングを検出し、静止画画像を取り込む場合は、ステップＳ４０３に移行し、取り込まない場合はステップＳ４０１に戻る。
【００３６】
ステップＳ４０３においては、カメラ信号処理回路１において処理された画像データをJPEGエンコード４に入力する。JPEGエンコード４は、カメラ信号処理回路１から入力された静止画像を圧縮し、静止画メモリ５に蓄積する。
【００３７】
次に、ステップＳ４０４においては、静止画メモリ５に蓄積された静止画データにヘッダー等を追加し、Exif形式のファイルを作成して静止画メモリ５に蓄積する。静止画メモリ５にExif形式のファイルを蓄積した後、ステップＳ４０５に進み、静止画メモリ５からExif形式のファイルを読み出し、ATA IF６経由でECC符号化回路７に転送する。ECC符号化回路７では、受け取ったストリームを所定単位にエラー訂正符号化を行い、変調回路８に出力する。変調回路８では、８−１６変調を行い、ピックアップ９に出力する。ピックアップ９は、光ディスク１０上にデータを書き込む。
【００３８】
次に、ステップＳ４０６に進み、光ディスク１０挿入時に設定された情報である静止画を動画変換にする要求の有無を判断する。この判断の結果、要求がない時は、ステップＳ４０１に戻る。また、ステップＳ４０６の判断の結果、静止画を動画に変換する要求がある場合はステップＳ４０７に進む。
【００３９】
ステップＳ４０７においては、カメラ信号処理回路１から出力されつづけている静止画データをMPEGコーデック２において動画変換し、ステップＳ４０８でストリームをバッファ３に追記する。
【００４０】
次に、ステップＳ４０９において、バッファ３の蓄積量が既定値以上であるか否かを検出する。この検出の結果、蓄積量が既定値以上になっている場合は、ステップＳ４１０に進み、光ディスク１０に記録を行う。また、ステップＳ４０９の検出の結果、バッファ３の蓄積量が既定値に達していない場合は、ステップＳ４０１に戻り、前述した処理を繰り返し行う。なお、ステップＳ４１０のディスク記録動作は、動画記録の際に説明したステップＳ３０５と同等の動作である。
【００４１】
一方、ステップＳ４０１の判別の結果、静止画撮影モードを終了する場合は、ステップＳ４１１に移行する。
ステップＳ４１１においては、ディスク挿入時に設定された情報である静止画を動画変換にする要求によって分岐し、要求がない時は、静止画撮影モードを終了する。
【００４２】
ステップＳ４１１の分岐において、静止画を動画に変換する要求がある場合は、ステップＳ４１２で、バッファ３内にステップＳ４０８で追記したデータが残っているかどうかを検出する。この検出の結果、バッファ３内にデータが残っていない場合は、静止画撮影モードを終了する。また、バッファ３内にデータが残っている場合は、ステップＳ４１３において、バッファ３からデータを読み出し、光ディスク１０に記録する。
【００４３】
図５は、図２のステップＳ２０７のファイナライズモードにおいて行なわれる処理手順を説明するフローチャートである。
ファイナライズモードになると、ステップＳ５０１でディスク挿入時に設定された情報である静止画を動画変換にする要求によって分岐し、要求がない時は、ステップＳ５０４にジャンプする。
【００４４】
静止画を動画に変換する要求がある場合は、ステップＳ５０２に移行する。ステップＳ５０２においては、静止画を動画像のストリームに変換したファイルを連続的に再生するために、動画像ファイルの再生順序を既定するプレイリストファイルを作成する。
【００４５】
ここで、プレイリストについて説明する。
前述のように、本実施形態では、静止画の動画変換要求設定が成されている場合、静止画撮影モードにて静止画データを記録する度にこの静止画データをＭＰＥＧ変換したデータを作成し、ディスク１０に記録する。そのため、動画撮影モードと静止画撮影モードとが交互に切り替えられる。すると、ディスク１０上には、動画撮影モードにて記録された動画データと、静止画撮影モードにて記録された静止画データ、及び静止画データを変換して作成したＭＰＥＧ（動画）データが交互に記録されることになる。
【００４６】
このように記録されたディスクからデータを再生する際、ＭＰＥＧ変換された静止画データを含む動画データを先頭から順に再生する。すると、動画撮影モードにて記録された動画データと静止画撮影モードでＭＰＥＧ変換されて記録された動画データとが交互に再生されることになる。
【００４７】
そこで、本実施形態では、静止画撮影モードでＭＰＥＧ変換されて記録された動画データを集めて、続けて再生するように再生順序を変更するためのプレイリストを作成し、ファイナライズ時に記録している。
従って、このプレイリストを選択して再生を指示することで、静止画データをＭＰＥＧ変換して得た動画データのみを続けて再生することができる。
【００４８】
プレイリストファイルは、にＣＰＵ１０１、ＲＯＭ１０２、ＲＡＭ１０３よりなるコンピュータシステム１００により静止画メモリ５上作成される。マイコン１００はＭＰＥＧコーデック２、ＪＰＥＧエンコード４などを制御し、更に、プレイリストを作成してＡＴＡＩ／Ｆ６を介してプレイリストを記録する。そして、ステップＳ５０３で、ATA IF６経由でECC符号化回路７、変調回路８を通して、ピックアップ９にて、光ディスク１０に記録される。
【００４９】
次に、ステップＳ５０４においては、ファイナライズ動作を行い、ファイルシステム情報などを光ディスク１０に書き込んでファイナライズモードにおける全ての処理を終了する。
【００５０】
図６は、本実施形態におけるファイナライズ後の光ディスク１０上のファイル構成を示す図である。
図６において、６０１は、光ディスク１０上のルートディレクトリを示す。また、６０２は、ルートディレクトリにあり、動画用のファイルが置かれる動画用ディレクトリである。
【００５１】
さらに、６０３は動画用ディレクトリに置かれ、静止画から動画変換への要求フラグが書き込まれているディスク管理ファイルを示し、６０４は複数の動画ファイルの再生順序を定義するPLAYLISTを示している。また、６０５はMPEGで圧縮されて動画ストリームを含む第１の動画ファイルを示し、６０６はMPEGで圧縮されて動画ストリームを含む第２の動画ファイルを示している。
【００５２】
６０７は、ルートディレクトリにあり、静止画用のファイルが置かれる静止画用ディレクトリである。そして、６０８はJPEGで圧縮された静止画データを含む第１の静止画ファイルを示し、６０９はJPEGで圧縮された静止画データを含む第２の静止画ファイルを示している。また、６１０はJPEGで圧縮された静止画データを含む第３の静止画ファイルを示し、６１１はJPEGで圧縮された静止画データを含む第４の静止画ファイルを示している。
【００５３】
図６の第１の静止画ファイル６０８、第２の静止画ファイル６０９、第３の静止画ファイル６１０、第４の静止画ファイル６１１は、図４の静止画撮影モードのシーケンスに従い作成された静止画ファイルである。
【００５４】
図６のディスク管理ファイル６０３は、静止画から動画変換への要求フラグが書き込まれており、この要求フラグにより静止画データを動画圧縮し、動画ファイルを作成する。図６の第１の動画ファイル６０５、第２の動画ファイル６０６は、ディスク管理ファイル６０３に静止画から動画変換への要求フラグが設定されている場合に作成された静止画データの動画ファイルである。PLAYLIST６０４は、この静止画データの動画ファイルを再生順序が書かれており、再生時にPLAYLIST６０４を読み出し、再生する動画ファイルを決定する。以上が、本実施形態の構成である。
【００５５】
（本発明に係る他の実施形態）
前述した本発明の実施形態における撮像装置を構成する各手段、並びに撮像方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５６】
また、本発明は、例えば、システム、装置、方法、プログラムもしくは記憶媒体等としての実施形態も可能である。具体的には、複数の機器から構成されるシステムに適用してもよいし、また、一つの機器からなる装置に適用してもよい。
【００５７】
なお、本発明は、前述した実施形態の機能を実現するソフトウェアのプログラム（実施形態では図２〜図５に示すフローチャートに対応したプログラム）を、システムあるいは装置に直接されてもよい。あるいは遠隔から供給し、そのシステムあるいは装置のコンピュータが前記供給されたプログラムコードを読み出して実行することによっても達成される場合を含む。
【００５８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５９】
その場合、プログラムの機能を有していれば、オブジェクトコード、インタプリタにより実行されるプログラム、ＯＳに供給するスクリプトデータ等の形態であってもよい。
【００６０】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどである。また、磁気テープ、不揮発性のメモリカード、ＲＯＭ、ＤＶＤ（ＤＶＤ−ＲＯＭ、ＤＶＤ−Ｒ）なども含む。
【００６１】
その他、プログラムの供給方法としては、クライアントコンピュータのブラウザを用いてインターネットのホームページに接続し、前記ホームページから本発明のコンピュータプログラムそのものをダウンロードすることによっても供給できる。もしくは、圧縮され自動インストール機能を含むファイルをハードディスク等の記録媒体にダウンロードすることによっても供給できる。
【００６２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６４】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００６５】
さらに、記録媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６６】
【図１】本発明の実施形態を示し、撮像装置の全体構成を示すブロック図である。
【図２】本実施形態のモード分岐の手順を説明するフローチャートである。
【図３】本実施形態の動画記録の手順を説明するフローチャートである。
【図４】本実施形態の静止画記録の手順を説明するフローチャートである。
【図５】本実施形態のファイナライズ動作の手順を説明するフローチャートである。
【図６】本実施形態のファイル構成を説明する図である。
【符号の説明】
【００６７】
１  カメラ信号処理回路
２  MPEGコーデック
３  バッファ
４  JPEGエンコード
５  静止画メモリ
６  ATA（AT Attachment） IF
７  ECC（誤り訂正符号）符号化回路
８  変調回路
９  ピックアップ
１０  光ディスク
６０１  ルートディレクトリ
６０２  動画用ディレクトリ
６０３  ディスク管理ファイル
６０４  PLAYLIST
６０５  第１の動画ファイル
６０６  第２の動画ファイル
６０７  静止画用ディレクトリ
６０８  第１の静止画ファイル
６０９  第２の静止画ファイル
６１０  第３の静止画ファイル
６１１  第４の静止画ファイル
【図１】
2007325108.tif 000003
【図２】
2007325108.tif 000004
【図３】
2007325108.tif 000005
【図４】
2007325108.tif 000006
【図５】
2007325108.tif 000007
【図６】
2007325108.tif 000008